(57)【要約】  省電力モードであっても、任意に設定された時間帯において遠隔操作を行うことができる端末機器を提供する。端末機器は、入力部２と、外部機器と通信を行う通信手段と、上記通信手段に電力を供給する電源制御部５と、割り込みの開始時刻および終了時刻が設定されるとともに、該開始時刻に割り込み開始コマンドを発生し、該終了時刻に割り込み終了コマンドを発生するカレンダＩＣ６と、カレンダＩＣ６に電力を供給するバックアップ電源７と、電源制御部５による電力供給動作を制御するＣＰＵ１を有する。ＣＰＵ１は、カレンダＩＣ６が発生した割り込み開始コマンドおよび割り込み終了コマンドによって決定される時間帯は、電源制御部５から上記通信手段に電力を供給させて、入力部２および上記通信手段を使用可能とする。
2010004614.tif 000002
【特許請求の範囲】
【請求項１】
入力部と、
外部機器と通信を行う通信手段と、
前記通信手段に電力を供給する電源制御部と、
割り込みの開始時刻および終了時刻が設定されるとともに、該開始時刻に割り込み開始コマンドを発生し、該終了時刻に割り込み終了コマンドを発生するカレンダ機能部と、
前記カレンダ機能部に電力を常時供給するバックアップ電源と、
前記電源制御部による電力供給動作を制御する制御部を有し、
前記制御部は、前記カレンダ機能部が発生した割り込み開始コマンドおよび割り込み終了コマンドによって決定される時間帯は、前記電源制御部から前記通信手段に電力を供給させて、前記入力部および通信手段を使用可能とする、端末機器。
【請求項２】
前記制御部は、前記通信手段を介して、前記外部機器から信号が供給されていない状態の経過時間を計測し、または、前記入力部における入力操作がなされていない状態の経過時間を計測し、該計測値が閾値を越えた場合に、前記入力部が使用可能とされ、前記入力部からのモード解除コマンドの受信待ち状態とする省電力モードを設定し、該省電力モードにおいて、前記カレンダ機能部が割り込み開始コマンドを発生すると、前記電源制御部から前記通信手段に電力を供給させて、前記入力部および通信手段を使用可能とする、請求の範囲１に記載の端末機器。
【請求項３】
前記制御部は、前記入力部を通じて入力された割り込みの開始時刻設定情報および割り込みの終了時刻設定情報をそれぞれ前記割り込みの開始時刻および割り込みの終了時刻として前記カレンダ機能部に設定する、請求の範囲１または２に記載の端末機器。
【請求項４】
前記制御部は、前記時間帯において、前記通信手段を介して前記外部機器からの遠隔操作信号を受信し、該遠隔操作信号に従って前記電源制御部による電力供給を制御し、前記時間帯の後、前記遠隔制御信号に基づく電力供給状態を維持する、請求の範囲１から３のいずれか１項に記載の端末機器。
【請求項５】
光源と、
前記光源からの光を変調して画像光を生成する空間光変調器と、
前記空間光変調器で生成された画像光を投写する投写光学系をさらに有し、
前記制御部は、前記時間帯において、前記通信手段を介して前記外部機器から受信した遠隔操作信号に従って、前記電源制御部から前記光源に電力を供給させ、前記時間帯の後、前記光源への電力供給状態を維持する、請求の範囲１から４のいずれか１項に記載の端末機器。
【請求項６】
前記入力部は、複数の操作ボタンを有する本体操作部を有し、
前記制御部は、省電力モード時は、前記本体操作部に前記電源制御部から電力を供給させ、
前記本体操作部は、前記省電力モード時に、前記複数の操作ボタンのいずれかが押されると、前記省電力モードを解除するためのコマンドを前記制御部に出力する、請求の範囲１から５のいずれか１項に記載の端末機器。
【請求項７】
前記入力部は、複数の操作ボタンを有するリモートコントローラを有し、
前記リモートコントローラからの信号を受信する受信回路をさらに有し、
前記制御部は、省電力モード時は、前記受信回路に前記電源制御部から電力を供給させ、
前記リモートコントローラは、前記省電力モード時に、前記複数の操作ボタンのいずれかが押されると、前記省電力モードを解除するためのコマンドを前記制御部に出力する、請求の範囲１から５のいずれか１項に記載の端末機器。
【請求項８】
割り込みの開始時刻および終了時刻が設定されるとともに、該開始時刻に割り込み開始コマンドを発生し、該終了時刻に割り込み終了コマンドを発生するカレンダ機能部を、バックアップ電源により動作させ、
前記カレンダ機能部が発生した割り込み開始コマンドおよび割り込み終了コマンドによって決定される時間帯は、外部機器と通信を行う通信手段に電力を供給する、省電力制御方法。
【請求項９】
前記時間帯は、前記通信手段を介して前記外部機器からの遠隔操作信号に従って電力供給制御を行い、前記時間帯の後、前記遠隔制御信号に基づく電力供給状態を維持する、請求の範囲８に記載の省電力制御方法。
【発明の詳細な説明】
【技術分野】
【０００１】
本発明は、プロジェクタに代表される端末機器に関し、特に、待機時に消費される電力を削減するための機能（省電力モード）を備える端末機器に関する。
【背景技術】
【０００２】
近年、プロジェクタの多機能化が進み、それに伴って、待機時に消費される電力（待機電力）も増大している。このため、最近のプロジェクタには、待機電力を削減するための省電力モードが搭載されている。【０００３】
省電力モードを備えるプロジェクタが特許文献１（特開２００４−２１２１８号公報）に開示されている。このプロジェクタは、外部機器から画像信号の供給がなされていない状態（無信号状態）の経過時間およびプロジェクタへの入力操作がなされていない状態（無操作状態）の経過時間をそれぞれ計測する計時手段と、無信号状態または無操作状態の経過時間が予め設定された時間を越えた場合に、プロジェクタの動作モードを通常モードから省電力モードに切り替える省電力モード切替手段と、省電力モードへの切り替え前に、省電力モードへの移行を予告する省電力モード移行予告手段とを有する。【０００４】
省電力モード切替手段は、省電力モードへの移行予告後、無信号状態または無操作状態がさらに所定の時間に渡って維持された場合に、省電力モードへの切り替えを実行する。計時手段、省電力モード切替手段および省電力モード移行予告手段は、ＣＰＵ（Central  Processing  Unit）により構成される制御部の一部である。【０００５】
省電力モードにおいては、通常、必要最小限の機能のみが動作するようになっており、光源や、外部機器と通信するための通信部等への電力供給は行われない。必要最小限の機能とは、具体的には、ＣＰＵが、リモートコントローラ（以下、リモコンと称す）またはプロジェクタ本体の操作部からコマンド信号を受信し、省電力モードを解除する機能である。このように省電力モードにおいては、通信機能を含むほとんどの機能が停止した状態になり、例えば、省電力モードに移行したプロジェクタを、ネットワークを通じて外部機器により遠隔操作することはできない。このため、利用形態によっては、省電力モード時に遠隔操作ができないことによる不便さを感じる場合がある。【０００６】
以下に、そのような不便さを感じる利用形態の一例を説明する。【０００７】
プロジェクタの光源として、メタルハライドランプや超高圧水銀ランプ等が知られているが、この種のランプでは、電源投入後、出力光レベルが安定するまでにある程度の時間を要する。【０００８】
プロジェクタを会議などで使用する場合、会議開始前に、遠隔操作によりプロジェクタの光源への電力供給を開始しておくことで、会議開始後、直ぐに、プロジェクタによる安定した投写画像を得ることができる。ところが、会議開始前に、プロジェクタが省電力モードに設定されてしまうと、そのような遠隔操作を行うことができなくなってしまう。【０００９】
なお、プロジェクタの遠隔操作を可能とするために、常時、電力がプロジェクタの各部に供給される通常モードを維持することは、無駄に電力を消費することになる。【００１０】
上記から分かるように、プロジェクタの動作モードを省電力モードに設定すると、プロジェクタの遠隔操作が不能となるため、会議開始前に、遠隔操作によりプロジェクタを制御できないという不便さがある。【００１１】
特許文献１に記載のプロジェクタにおいても、上記の不便さの問題を生じる。【００１２】
また、プロジェクタ以外の端末機器、例えば、電源投入後、動作が安定するまでに一定の時間を要する端末機器においても、省電力モード時に遠隔操作ができないことによる同様な不便さの問題を生じる。【００１３】
また、端末機器の動作モードを省電力モードに設定することで省電力化を図りつつ、省電力モードに移行した端末機器を、ネットワークを通じて外部機器により遠隔操作することで、利便性を高めるといった技術は、これまで提供されていない。
【発明の開示】
【００１４】
本発明の目的は、上記の問題を解決し、省電力モードであっても、任意に設定された時間帯において遠隔操作を行うことができる、端末機器および省電力制御方法を提供することにある。
【００１５】
上記目的を達成するため、本発明の端末機器は、
入力部と、
外部機器と通信を行う通信手段と、
前記通信手段に電力を供給する電源制御部と、
割り込みの開始時刻および終了時刻が設定されるとともに、該開始時刻に割り込み開始コマンドを発生し、該終了時刻に割り込み終了コマンドを発生するカレンダ機能部と、
前記カレンダ機能部に電力を常時供給するバックアップ電源と、
前記電源制御部による電力供給動作を制御する制御部を有し、
前記制御部は、前記カレンダ機能部が発生した割り込み開始コマンドおよび割り込み終了コマンドによって決定される時間帯は、前記電源制御部から前記通信手段に電力を供給させて、前記入力部および通信手段を使用可能とすることを特徴とする。
【００１６】
本発明の省電力制御方法は、
割り込みの開始時刻および終了時刻が設定されるとともに、該開始時刻に割り込み開始コマンドを発生し、該終了時刻に割り込み終了コマンドを発生するカレンダ機能部を、バックアップ電源により動作させ、
前記カレンダ機能部が発生した割り込み開始コマンドおよび割り込み終了コマンドによって決定される時間帯は、外部機器と通信を行う通信手段に電力を供給することを特徴とする。
【図面の簡単な説明】
【００１７】
【図１】本発明の一実施形態である端末機器の構成を示すブロック図である。
【図２】図１に示す端末機器における省電力モード時の機能停止状態を示す模式図である。
【図３】図１に示す端末機器において行われる、省電力モード時の動作モードの切り替え処理の一手順を示すフローチャートである。
【図４】本発明が適用されるプロジェクタの主要部を示すブロック図である。
【符号の説明】
【００１８】
１  ＣＰＵ
２  入力部
３  通信制御部
４  インタフェース部
５  電源制御部
６  カンレンダＩＣ
６ａ  時刻設定値記憶部
６ｂ  カウンタ
７  バックアップ電源
【発明を実施するための最良の形態】
【００１９】
以下、本発明における一実施形態を、図面を参照して説明する。【００２０】
図１は、本発明の一実施形態である端末機器の構成を示すブロック図である。図１に示す端末機器は、プロジェクタに代表される端末機器であって、その主要部は、ＣＰＵ１、入力部２、通信制御部３、インタフェース部４、電源制御部５、カレンダＩＣ６およびバックアップ電源７からなる。【００２１】
入力部２は、端末機器本体に設けられた本体操作部やリモコンを含む。本体操作部およびリモコンのそれぞれは、複数のボタンを有しており、利用者は、それらボタンを用いた入力操作を行うことで、端末機器の動作を制御することができる。【００２２】
インタフェース部４は、パーソナルコンピュータ（ＰＣ）等の外部機器を端末機器に接続するためのハードウェアインタフェースである。インタフェース部４は、ＬＡＮへの接続のためのインタフェースやＲＳ−２３２Ｃ用のインタフェースなどを含む。インタフェース部４は、通信制御部３を介してＣＰＵ１に接続されている。【００２３】
通信制御部３は、インタフェース部４とＣＰＵ１の間の通信制御を行う。電源制御部５は、主電源回路に接続されており、ＣＰＵ１からの制御信号に従い、入力部２である本体操作部、インタフェース部４、通信制御部３、および端末機器を構成する他の部分（光源、液晶パネル等）に電力を供給する。【００２４】
カレンダＩＣ６は、時刻設定値記憶部６ａとカウンタ６ｂをする。カウンタ６ｂは、現在時刻（または現在の日時）を管理するための時計機能部である。カレンダＩＣ６は、カウンタ６ｂの出力に基づいて現在時刻を取得する。【００２５】
時刻設定値記憶部６ａは、省電力モードにおける割り込み開始時刻および割り込み終了時刻を記憶するためのものである。割り込み開始時刻および割り込み終了時刻は、利用者が、入力部２を通じて自由に設定することができる。カレンダＩＣ６は、時刻設定値記憶部６ａに記憶された割り込み開始時刻になると、ＣＰＵ１に対して、通常待機開始コマンドを出力する。カレンダＩＣ６は、時刻設定値記憶部６ａに記憶された割り込み終了時刻になると、ＣＰＵ１に対して、通常待機終了コマンドを出力する。【００２６】
バックアップ電源７は、カレンダＩＣ６に電力を供給する。このバックアップ電源７による電力供給により、カレンダＩＣ６は、端末機器の動作モードに関係なく、常に、動作することが可能である。【００２７】
ＣＰＵ１は、端末機器の各部の動作を制御するものであって、入力部２を通じて利用者の入力指示を受け付け、該指示に従って必要な処理または制御を実行する。具体的には、ＣＰＵ１は、動作モードの切り替え処理、モード割り込み処理およびその割り込み処理の開始時刻の設定処理等を行う。ＣＰＵ１による処理または制御は、基本的には、プログラムによりＣＰＵ１を動作させることで実現される。【００２８】
動作モードは、例えば、通常モード、省電力モード、通常待機モードの３つのモードを含む。通常モードにおいて、電源制御部５は、ＣＰＵ１からの制御信号に従って、端末機器の各部分（入力部２である本体操作部、通信制御部３、およびインタフェース部４を含む）に電力を供給する。省電力モードにおいて、電源制御部５は、ＣＰＵ１からの制御信号に従って、本体操作部にのみ電力を供給する。通常待機モードにおいて、電源制御部５は、ＣＰＵ１からの制御信号に従って、本体操作部およびインタフェース部４に電力を供給する。【００２９】
なお、ＣＰＵ１への電力供給は、主電源回路から直接行われている。省電力モードおよび通常待機モード時は、主電源回路からＣＰＵ１へ、必要最低限の機能を維持するための電力（スタンバイ電源）が供給される。必要最低限の機能は、省電力モードまたは通常待機モードから通常モードへ復帰するための第１の機能と、省電力モード時における割り込み処理を行うための第２の機能を含む。第１の機能では、ＣＰＵ１は、リモコンまたは本体操作部からのコマンド信号（解除コマンド）を受信し、現在設定されている省電力モードまたは通常待機モードを解除する。第２の機能では、ＣＰＵ１は、カレンダＩＣ６から通常待機開始コマンドを受信し、省電力モードから通常待機モードへの移行処理を実行し、その後、カレンダＩＣ６から通常待機終了コマンドを受信し、その通常待機モードで設定された状態を維持する。【００３０】
また、ＣＰＵ１は、通常モード時において、インタフェース部４に接続された外部機器から画像信号の供給がなされていない状態（無信号状態）の経過時間、および入力部２から信号を受信していない状態（無操作状態）の経過時間をそれぞれ計測しており、無信号状態または無操作状態の経過時間が閾値を越えた場合に、端末機器の動作モードを通常モードから省電力モードに切り替える。この通常モードから省電力モードへの切り替えのための手段として、例えば、特許文献１に記載された技術を適用してもよい。【００３１】
次に、本実施形態の端末機器の動作について具体的に説明する。
（１）省電力モード時の割り込み処理の開始時刻および終了時刻の設定：
利用者は、入力部２を通じて、省電力モード時の割り込み処理の開始時刻および終了時刻を設定する。入力部２にて開始時刻を指定するための入力操作が行われると、ＣＰＵ１は、その指定された開始時刻をカレンダＩＣ６の時刻設定値記憶部６ａに格納する。続いて、入力部２にて終了時刻を指定するための入力操作が行われると、ＣＰＵ１は、その指定された終了時刻をカレンダＩＣ６の時刻設定値記憶部６ａに格納する。なお、この開始時刻および終了時刻の設定は、外部機器からの遠隔操作により行ってもよい。
（２）動作モードの切り替え処理：
端末機器の電源をオンにすると、ＣＰＵ１は、通常モードでの各部の動作制御を行う。そして、ＣＰＵ１は、無信号状態または無操作状態の経過時間を計測し、その計測値が閾値を越えた場合に、端末機器の動作モードを通常モードから省電力モードに切り替える。【００３２】
図２は、省電力モードが設定された端末機器の機能停止状態を示す模式図である。図２において、停止した機能は、破線で示されている。省電力モードでは、ＣＰＵ１、入力部２およびカレンダＩＣ６に対して電力が供給されており、通信制御部３およびインタフェース部４を含む他の部分へは、電力は供給されていない。このため、外部機器により端末機器を遠隔操作することはできない。【００３３】
省電力モードが設定された端末機器においては、ＣＰＵ１による動作モードの切り替え処理が実行される。図３に、省電力モード時の動作モードの切り替え処理の一手順を示す。【００３４】
省電力モードへの移行が行われると（ステップＳ１０）、ＣＰＵ１は、入力部２またはカレンダＩＣ６からコマンド信号を受信したか否かを判定する（ステップＳ１１）。コマンド信号を受信した場合は、続いて、ＣＰＵ１は、受信コマンド信号が、通常待機開始コマンド、通常待機終了コマンド、解除コマンドのいずれであるかを判定する（ステップＳ１２、Ｓ１４）。【００３５】
受信コマンド信号が通常待機開始コマンドである場合（ステップＳ１２で「Ｙｅｓ」となった場合）は、ＣＰＵ１は、端末機器の動作モードを省電力モードから通常待機モードに切り替える（ステップＳ１３）。そして、ＣＰＵ１からの制御信号に従って、電源制御部５は、通信制御部３およびインタフェース部４に電力を供給する。これにより、外部機器による端末機器の遠隔操作が可能となる。利用者は、外部機器上で、端末機器を遠隔操作することで、現在停止している機能の少なくとも１つを動作せることができる。例えば、ＣＰＵ１は、停止している機能の一覧を外部機器上で表示させ、その一覧から利用者が選択した機能に対して電力を供給する旨の指示を電源制御部５に与える。電源制御部５は、ＣＰＵ１から指示された機能に電力を供給する。機能の一覧に、選択項目として通常モードの項目を設けてもよい。この場合は、通常モードを選択することで、電源制御部５は、各部への電力供給を開始する。【００３６】
受信コマンド信号が通常待機終了コマンドである場合（ステップＳ１４で「Ｙｅｓ」となった場合）は、ＣＰＵ１は、通常待機モードから省電力モードに切り替える（ステップＳ１５）。ただし、このモードの切り替えにおいて、電源制御部５は、ＣＰＵ１からの制御信号に従って、通信制御部３およびインタフェース部４への電力供給を停止するとともに、通常待機モード時に遠隔操作により設定された機能への電力供給状態をそのまま維持する。通信制御部３およびインタフェース部４への電力供給が停止したことで、外部機器による端末機器の遠隔操作は、再び実行不可となる。なお、遠隔操作により通常モードが選択されていた場合は、通常待機モードから通常モードに移行することになる。【００３７】
受信コマンド信号が解除コマンドである場合（ステップＳ１４で「Ｎｏ」となった場合）は、ＣＰＵ１は、端末機器の動作モードを省電力モードから通常モードに切り替える。そして、ＣＰＵ１からの制御信号に従って、電源制御部５は、通信制御部３およびインタフェース部４を含む各部への電力供給を開始する。これにより、端末機器の全ての機能が稼動する。【００３８】
以上説明した本実施形態の端末機器によれば、省電力モードが設定された場合であっても、利用者が事前に設定した割り込み開始時刻および割り込み終了時刻の時間帯においては、省電力モードから通常待機モードへの移行が行われて、外部機器により端末機器を遠隔操作することができる。したがって、端末機器の動作モードを省電力モードに設定することで省電力化を図りつつ、省電力モードに移行した端末機器を、ネットワークを通じて外部機器により遠隔操作することを可能とすることで、利便性を高めることができる。【００３９】
本実施形態の端末機器は、プロジェクタに適用することができる。図４は、本発明が適用されたプロジェクタの主要部を示すブロック図である。【００４０】
図４に示すプロジェクタは、図１に示した構成に投写部８を加えたものである。インタフェース２は、ＬＡＮ用インタフェース部４ａおよびＲＳ−２３２Ｃ用インタフェース部４ｂを含む。【００４１】
投写部８は、光源、映像信号処理回路、空間光変調器および投写光学系を有する。電源制御部５は、ＣＰＵ１からの制御信号に従い、光源、映像信号処理回路、空間光変調器および投写光学系に電力を供給する。空間光変調器は、液晶パネルやＤＭＤ（Digital  Micromirror  Device）などにより構成される。【００４２】
外部機器からの映像信号が、ＬＡＮ用インタフェース部４ａまたはＲＳ−２３２Ｃ用インタフェース部４ｂと、通信制御部３と、ＣＰＵ１とを介して映像信号処理回路に供給される。映像信号処理回路は、外部機器からの映像信号に対して、空間光変調器にて画像光を生成するのに必要な処理を施す。空間光変調器は、映像信号処理回路からの映像信号に基づく画像光を生成する。空間光変調器で生成された画像光は、投写光学系によってスクリーン上へ投写される。【００４３】
以下、プロジェクタが会議室に設置されているものとし、会議開始前に、そのプロジェクタの光源を、遠隔操作により動作させる場合について説明する。【００４４】
利用者は、事前に、会議室に設置されているプロジェクタにおいて、入力部２を通じて、省電力モード時の割り込み処理の開始時刻および終了時刻を設定する。会議が午前１０時から始まる場合は、例えば、割り込み処理の開始時刻および終了時刻をそれぞれ午前９時５０分、午前１０時として設定する。なお、以下の説明では、プロジェクタの動作モードは、午前９時５０分より前に、省電力モードに移行しているものとする。【００４５】
現在の時刻が午前９時５０分になると、カレンダＩＣ６が通常待機開始コマンドをＣＰＵ１に送信する。ＣＰＵ１は、カレンダＩＣ６からの通常待機開始コマンドを受信すると、電源制御部５に、ＬＡＮ用インタフェース部４ａへの電力供給を指示する（通常待機モードへの移行）。電源制御部５は、ＣＰＵ１からの指示に従って、ＬＡＮ用インタフェース部４ａへ電力を供給する。これにより、プロジェクタは、通常待機モードとなり、ＬＡＮを介して外部機器との通信が可能となる。【００４６】
プロジェクタの動作モードが通常待機モードとなった後、利用者は、自身のＰＣをＬＡＮに接続して、プロジェクタへのアクセスを実行する。ここで、ＬＡＮ上におけるプロジェクタのアドレスは予め与えられているものとする。また、ＰＣは、ＬＡＮ用インタフェース部４ａ、ＲＳ−２３２Ｃ用インタフェース部４ｂ、光源、映像信号処理回路、空間光変調器、投写光学系などの各機能をそれぞれの識別情報と対応付けたテーブルを有しており、このテーブルを参照して、電源制御部５における各機能への電力供給を選択的に行わせる。【００４７】
ＰＣとプロジェクタが通信可能な状態になると、ＣＰＵ１は、停止している機能（光源、映像信号処理回路、空間光変調器、投写光学系など）の一覧をＰＣ上で表示させる。利用者は、ＰＣ上で、表示された機能の一覧から、電力を供給すべき機能を選択する。ここでは、電力を供給すべき機能として光源が選択されるものとする。【００４８】
ＰＣは、光源が選択されたことを示す信号をＣＰＵ１に供給する。ＣＰＵ１は、その信号を受信し、光源への電力供給を電源制御部５に行わせる。【００４９】
現在の時刻が午前１０時になると、カレンダＩＣ６が通常待機終了コマンドをＣＰＵ１に送信する。ＣＰＵ１は、カレンダＩＣ６からの通常待機開始コマンドを受信すると、電源制御部５に対して、ＬＡＮ用インタフェース部４ａへの電力供給の停止を指示するとともに、遠隔操作により指定された機能（光源）への電力供給状態をそのまま維持するように指示する。電源制御部５は、ＣＰＵ１からの指示に従い、ＬＡＮ用インタフェース部４ａへの電力供給を停止するが、光源への電力供給はそのまま維持する。【００５０】
以上の動作によれば、利用者は、会議開始前に、自身のＰＣ上で、遠隔操作によりプロジェクタの光源への電力供給を開始させることができる。よって、会議開始時点において、プロジェクタの光源はすでに動作状態にあるので、会議開始後、直ぐに、プロジェクタによる安定した投写画像を得ることができる。【００５１】
なお、省電力モードにおいては、本体操作部、リモコン受信回路およびＣＰＵ１により電力が消費されるが、その消費電力量は小さい。これに対して、通常待機モードにおいては、本体操作部、リモコン受信回路およびＣＰＵ１に加えて、ＬＡＮ用インタフェース部４ａやＲＳ−２３２Ｃ用インタフェース部４ｂによっても電力が消費される。これらＬＡＮ用インタフェース部４ａやＲＳ−２３２Ｃ用インタフェース部４ｂにて消費される電力量は、本体操作部、リモコン受信回路およびＣＰＵ１により消費される電力量に比べて大きいため、通常待機モードを長時間にわたって維持することは、省電力化の面で望ましくない。本実施形態のプロジェクタによれば、会議が行われていない時間帯は、省電力モードに設定し、会議開始前の利用者が事前に設定した時間帯においてのみ、通常待機モードに移行する。このため、利用者が事前に設定する時間帯を例えば１０分程度の短い時間帯とすることで、省電力化への対策を行うことができる。例えば、１時間のうち、１０分間を通常待機モード（その消費電力は１０Ｗである）とし、残りの５０分間を省電力モード（その消費電力は０．１Ｗである）とする制御を行った場合、１時間当たりの平均消費電力は１．７５Ｗ（＝[１０Ｗ×１０÷６０]＋[０．１Ｗ×５０÷６０]）となる。これに対して、１時間に渡って通常待機モードが設定された場合は、１時間当たりの平均消費電力は１０Ｗとなる。このように、通常待機モードについては、必要な時間帯にのみ設定するようにすることで、消費電力を低く抑えることができる。【００５２】
以上、本発明の端末機器の構成について詳細に説明したが、本発明は、上述した構成よび動作によって限定されるものではない。【００５３】
本発明の一態様による端末機器は、入力部と、外部機器と通信を行う通信手段と、上記通信手段に電力を供給する電源制御部と、割り込みの開始時刻および終了時刻が設定されるとともに、該開始時刻に割り込み開始コマンドを発生し、該終了時刻に割り込み終了コマンドを発生するカレンダ機能部と、上記カレンダ機能部に電力を供給するバックアップ電源と、上記電源制御部による電力供給動作を制御する制御部を有し、上記制御部は、上記カレンダ機能部が発生した割り込み開始コマンドおよび割り込み終了コマンドによって決定される時間帯は、上記電源制御部から上記通信手段に電力を供給させて、上記入力部および通信手段を使用可能とする。ここで、入力部は、入力部２に対応する。通信手段は、通信制御部３およびインタフェース部４に対応する。カレンダ機能部は、カレンダＩＣ６に対応する。【００５４】
上記の構成において、上記制御部は、上記通信手段を介して、上記外部機器から信号が供給されていない状態の経過時間を計測し、または、上記入力部における入力操作がなされていない状態の経過時間を計測し、該計測値が閾値を越えた場合に、上記入力部が使用可能とされ、上記入力部からのモード解除コマンドの受信待ち状態とする省電力モードを設定し、該省電力モードにおいて、上記カレンダ機能部が割り込み開始コマンドを発生すると、上記電源制御部から上記通信手段に電力を供給させて、上記入力部および通信手段を使用可能としてもよい。【００５５】
また、上記制御部は、上記入力部を通じて入力された割り込みの開始時刻設定情報および割り込みの終了時刻設定情報をそれぞれ上記割り込みの開始時刻および割り込みの終了時刻として上記カレンダ機能部に設定してもよい。【００５６】
さらに、上記制御部は、上記時間帯において、上記通信手段を介して上記外部機器からの遠隔操作信号を受信し、該遠隔操作信号に従って上記電源制御部による電力供給を制御し、上記時間帯の後、上記遠隔制御信号に基づく電力供給状態を維持してもよい。【００５７】
さらに、光源と、上記光源からの光を変調して画像光を生成する空間光変調器と、上記空間光変調器で生成された画像光を投写する投写光学系をさらに有し、上記制御部は、上記時間帯において、上記通信手段を介して上記外部機器から受信した遠隔操作信号に従って、上記電源制御部から上記光源に電力を供給させ、上記時間帯の後、上記光源への電力供給状態を維持してもよい。【００５８】
さらに、上記入力部は、複数の操作ボタンを有する本体操作部を有し、上記制御部は、上記省電力モード時は、上記本体操作部に上記電源制御部から電力を供給させ、上記本体操作部は、上記省電力モード時に、上記複数の操作ボタンのいずれかが押されると、上記省電力モードを解除するためのコマンドを上記制御部に出力してもよい。【００５９】
さらに、上記入力部は、複数の操作ボタンを有するリモートコントローラを有し、上記リモートコントローラからの信号を受信する受信回路をさらに有し、上記制御部は、上記省電力モード時は、上記受信回路に上記電源制御部から電力を供給させ、上記リモートコントローラは、上記省電力モード時に、上記複数の操作ボタンのいずれかが押されると、上記省電力モードを解除するためのコマンドを上記制御部に出力してもよい。【００６０】
上述の本発明によれば、動作モードに関係なく、事前に設定した割り込み開始時刻から割り込み終了時刻の時間帯においては、必ず、通信手段に電力が供給されるので、外部機器による遠隔操作が可能である。例えば、省電力モード設定時であっても、事前に設定した割り込み開始時刻から割り込み終了時刻の時間帯は、外部機器により端末機器を遠隔操作することができる。したがって、端末機器の動作モードを省電力モードに設定することで省電力化を図りつつ、省電力モードに移行した端末機器を、事前に設定した時間帯において、ネットワークを通じて外部機器により遠隔操作することで、利便性を高めることができる。【００６１】
また、上記の時間帯、すなわち通常待機モードにおける消費電力（入力部および通信手段によって消費される電力）は、全ての機能部に電力が供給される通常モードにおける消費電力に比べて十分に小さい。したがって、通常待機モードにおいても、通常モードに比べて省電力化を図ることができる。【００６２】
本発明は、プロジェクタ以外の端末機器、例えば、通信機能を備えた電子機器全般に適用することができる。
【図１】
2010004614.tif 000003
【図２】
2010004614.tif 000004
【図３】
2010004614.tif 000005
【図４】
2010004614.tif 000006
【国際調査報告】
2010004614.tif 000007
2010004614.tif 000008
2010004614.tif 000009
2010004614.tif 000010